(57)【要約】【課題】  効率的な抽出・溶出又は吸着等が可能な袋体と袋体を破損させずに容器から取り出せる袋体支持具と支持具付き袋体及び抗菌・非破裂容器を提供する。【解決手段】  柱状袋体１０は連通路１２で導水が図られ、液体８０が固形材料１３へ素早く浸透し、抽出・溶出又は吸着等を促進する。袋体支持具２０は、管状の軸２１を含み、かつ連通路１２を通る円筒２３の一端の膨らみ２４で袋体を係止し、他端に弾性体２５と端面ガード４５を有する。袋体支持具３０は、管状の支柱３１と側面ガード４４で袋体を挟む装着部２６が、その両端の結束部３２で保持される。袋体支持具２０と３０は、容器６０の口部から袋体１０を破損させずに取出せ、蛇腹を中央部に有する管４０を両端に連接してストローとなり、顎付きの円筒４２で窪み５１付きの抗菌・非破裂容器６０の内部に口部で係止して収容され、蓋５０を締めて携行できる。【選択図】            図１０
2005287727.tif 000002
【特許請求の範囲】
【請求項１】
容器内で固形材料を液体に浸し所望の液体を作成するための前記固形材料を収容した袋体であって、前記袋体は内部に液体が浸透し得る素材から成り、かつ前記袋体は前記容器口部を通過可能な太さの柱状の外形を備え、さらに前記袋体は両端の表面に開口部を有するとともに、前記袋体の内部に前記開口部を結んでなる連通路が形成されたことを特徴とする柱状袋体。
【請求項２】
前記柱状袋体の前記連通路に通して前記容器内で使用する袋体支持具であって、前記袋体支持具は前記連通路を通過可能で前記容器の深さとほぼ同じ長さの細長い軸から成る袋体装着部を有するとともに、前記連通路を通過できない太さの袋体係止部が前記袋体装着部を成す細長い軸に連接して形成され、棒状で串型の外形を備えたことを特徴とする串型袋体支持具。
【請求項３】
前記柱状袋体を挟んで前記容器内で使用する袋体支持具であって、前記袋体支持具は前記柱状袋体の連通路の方向に沿って周方向に形成された複数の細長い支柱から成る袋体装着部を有するとともに、前記支柱の結束部が前記袋体装着部を成す前記細長い支柱の両端に連接して形成され、柱状で籠型の外形を備えたことを特徴とする籠型袋体支持具。 
【請求項４】
ストローとしての機能を備えた前記串型袋体支持具であって、前記串型袋体支持具の袋体装着部および係止部が中空の細長い軸により形成され、その軸の一端又は両端に連接して蛇腹を中央部に有する管が備えられたことを特徴とする請求項２記載の串型袋体支持具。
【請求項５】
前記容器口部での係止が可能な前記串型袋体支持具であって、容器の口部の内径よりも僅かに大きな外径の顎部を片側先端に有する円筒が、前記串型袋体支持具の細長い軸の一端に連接して設けられたことを特徴とする請求項２又は請求項3記載の串型袋体支持具。
【請求項６】
前記容器内の液体中で、前記串型袋体支持具に装着された前記柱状袋体の移動規制・脱落防止及び浮力による液面への浮上防止が可能な前記串型袋体支持具であって、前記柱状袋体を支える袋体ガードとして、前記柱状袋体の側面を押さえる側面ガードと前記柱状袋体の端面を押さえる端面ガードが前記串型袋体支持具の細長い軸に連接して備えられたことを特徴とする請求項２又は請求項４〜５のいずれか1項に記載の串型袋体支持具。
【請求項７】
ストローとしての機能を備えた前記籠型袋体支持具であって、前記籠型袋体支持具の袋体装着部および結束部が中空の細長い支柱により形成され、その支柱の一端又は両端に連接して蛇腹を中央部に有する管が備えられたことを特徴とする請求項３記載の籠型袋体支持具。
【請求項８】
前記容器口部で係止可能な前記籠型袋体支持具であって、容器の口部の内径よりも僅かに大きな外径の顎部を片側先端に有する円筒が、前記籠型袋体支持具の細長い支柱の一端に連接して設けられたことを特徴とする請求項３又は請求項７記載の籠型袋体支持具。
【請求項９】
前記容器内の液体中で、前記籠型袋体支持具に装着された前記柱状袋体の移動規制・脱落防止及び浮力による液面への浮上防止が可能な前記籠型袋体支持具であって、前記柱状袋体を支える袋体ガードとして、前記柱状袋体の側面を押さえる側面ガードと前記柱状袋体の端面を押さえる端面ガードが前記籠型袋体支持具の細長い支柱に連接して備えられたことを特徴とする請求項３又は請求項７〜８のいずれか1項に記載の籠型袋体支持具。
【請求項１０】
請求項１記載の柱状袋体を請求項２記載の串型袋体支持具の細長い軸を通して装着した状態で固着することにより、前記柱状袋体と前記串型袋体支持具を一つのものとして形成したことを特徴とする串型支持具付きの柱状袋体。
【請求項１１】
請求項１記載の柱状袋体を請求項３記載の籠型袋体支持具の細長い支柱の内側に挟んで装着した状態で固着することにより、前記柱状袋体と前記串型袋体支持具を一つのものとして形成したことを特徴とする籠型支持具付きの柱状袋体。
【請求項１２】
請求項１記載の柱状袋体を用いるための容器であって、雑菌の繁殖を抑制するために前記容器に抗菌加工を施して形成されたことを特徴とする柱状袋体用の抗菌容器。
【請求項１３】
請求項１記載の柱状袋体を用いるための容器であって、全体が内部圧力の上昇により膨張して破裂することを防止するため、前記容器に内部の高圧力で貫通破壊される部分を設けて形成されたことを特徴とする柱状袋体用の非破裂容器。                                                                          
【発明の詳細な説明】
【技術分野】
【０００１】
本発明は、抽出・溶出又は吸着等に要する時間を短縮させる連通路付きの柱状袋体と、袋体の損傷を気遣うことなく何時でも容器から柱状袋体を取り出せる袋体支持具と袋体を使用するための抗菌・非破裂機能を備えた容器に関する。
【背景技術】
【０００２】
従来の容器内で使用する固形材料を収容する袋体としては、棒状のものがある。（例えば特許文献１〜５参照。）。また、棒状の袋体に糸や棒が接着されたものがある。（例えば特許文献６〜９参照。）。
【０００３】
以下、図１２〜図２０により従来の袋体について説明する。図１２において、１００は縦細長形状袋体で、接着縁部１０１を有し、内部に吸着材１０２が収容されている。
【０００４】
図１３において、１００は縦細長形状袋体で、接着縁部１０１を有し、内部に飲料用素材１１０が収容されている。
【０００５】
図１４において、１２０はフロートで、袋体内部には可溶性成分を含有する粉粒体あるいは浄水剤１２１が収容されている。
【０００６】
図１５において、１３０は棒状に形成された透水性袋で、連接して長手形状部材１３１が形成されている。
【０００７】
図１６において、１４０は棒状包材で、包材の一部が容器の口と蓋により挟まれて容器に係止されており、一方の末端が容器の外部に出ている。
【０００８】
図１７において、１５０は最上部の輪状の空洞で、内部には緑茶１５１が収容されている。
【０００９】
図１８において、１６０は水溶性のりで２つに分けられた部分で、紐１６１を有し、茶葉１６２が収容されている。
【００１０】
図１９において、１７０はミシン目で、支軸１７１を有し、茶葉１７２を収容している。
【００１１】
図２０において、１８０は星形の棒状ティーバッグで、ペットボトルの栓を付ける凸部１８１が連接されている。
【００１２】
従来の容器内で使用する固形材料を収容した袋体等を装着するための袋体支持具としては、容器口部に係止するための顎部がついた円筒状袋体支持具がある。（例えば特許文献１０参照。）。
【００１３】
以下、図２１により従来の袋体について説明する。同図において１９２は筒状収容部で、細長い透口１９１を有し、顎部１９０が連接されている。                                                                              
【特許文献１】実用新案登録第３０６５２８２号   公報
【特許文献２】実用新案登録第３０８１４９８号   公報
【特許文献３】特開平 ８―２１７１３９号        公報
【特許文献４】特開２０００―４１８５７号       公報
【特許文献５】実用新案登録第３００１３９１号   公報
【特許文献６】特開２００３―８１３４０号       公報
【特許文献７】特開２００３―３４３６０号       公報
【特許文献８】特開平１１―１２６７号           公報
【特許文献９】実用新案登録第３０９２９５８号   公報
【特許文献１０】実用新案登録第３０８３３６８号   公報
【発明の開示】
【発明が解決しようとする課題】
【００１４】
以上に述べた従来の袋体では、袋体内部の固形材料等への液体の浸透は袋体の外側表面からのみとなり、袋体内部への導水を図るため手段が嵩じられておらず、抽出・溶出又は吸着等に長い時間を要するものであった。
【００１５】
本発明は、このような従来の袋体が有していた問題を解決しようとするものであり、袋体内部の固形材料等への液体の浸透を促進させ、抽出・溶出又は吸着等に要する時間を短縮させる袋体を実現させることを第１の目的とするものである。
【００１６】
以上に述べた従来の袋体では、容器からの取り出しにおいて容器内の液体の排出後にしか袋体を取り出せず所望の液体の濃度等の調節ができないものや、容器に液体が満水の状態でしか袋体を取り出せないものであり扱いにくいものであった。
【００１７】
また従来の袋体では、取り出すための糸や棒がついていても容器の肩部や口部の内側につかえた袋体を糸や棒で引っ張ることにより袋体が損傷して、収容されていた固形材料が容器内の液体中に拡散してしまい、新たに固形材料と液体の分離が必要となると同時に、容器内に残った固形材料を取り除く必要性が生じるために、袋体の損傷を気遣いながら取出さなくてはならず使いにくいものであった。
【００１８】
また、以上に述べた従来の袋体支持具では、容器口部より更に細い筒の開口部から袋体を出し入れすることとなり、袋体が筒より細いと浮力によって液面に浮上したり、逆に袋体が筒より太いと袋体が筒に詰まって開口部から取り出しにくくなるものであった。
【００１９】
本発明は、このような従来の袋体や袋体支持具が有していた問題を解決しようとするものであり、袋体を引っ張らずに押し出したり、容器と袋体の摩擦を解消したりすることにより、袋体の損傷を気遣うことなく何時でも容器から袋体を取り出せる袋体支持具を実現させることを第２の目的とするものである。
【００２０】
以上に述べた従来の袋体では、袋体の一部を容器の口と蓋の間に挟んで係止するものがあるが、容器が密閉できないために容器口部からはみ出した袋体の一部から内部の液体が染み出し、液体が漏れるので傾けたりはできず、容器を携行することは難しいものであった。このように従来の袋体や袋体支持具では、一般の家庭内で使用する容器を想定したものが多く、外出時に携行する容器への配慮は充分とはいえないものであった。
【００２１】
本発明は、このような従来の袋体が有していた問題を解決しようとするものであり、容器内で袋体支持具を使用中でも通常通り蓋をすることで容器を密閉し、袋体や袋体支持具が容器内で安定して係止され、持ち歩く際の振動や落下時の衝撃等にも対処した、容器ごと携行することが可能な袋体支持具を実現させることを第３の目的とするものである。
【００２２】
以上に述べた従来の袋体と袋体支持具及びそれらを用いるための容器では、一般的に使い捨てを前提にしていて、口部からの口飲みにより雑菌が容器内部に侵入したり、開栓後に容器に液体が残ったまま放置されて、容器内で雑菌が繁殖してしまうものであった。また、袋体の一部を容器の口と蓋の間に挟んで係止するものがあるが、液体が外部に漏れてしまう可能性があると同時に、容器口部からはみ出して濡れた袋体の一部から容器内へ雑菌が混入してしまう可能性も否定できないものであった。
【００２３】
本発明は、このような従来の袋体と袋体支持具及びそれらを用いるための容器が有していた問題を解決しようとするものであり、容器内部への雑菌の侵入および容器内部での雑菌の繁殖を抑制する袋体と袋体支持具及びそれらを用いるための容器を実現させることを第４の目的とするものである。
【００２４】
以上に述べた従来の袋体及び袋体支持具を用いるための容器では、一般的に容器内の液体が凍結することは考慮されているが容器内部の高圧力による容器全体の破裂に関しては配慮されていないものであった。
【００２５】
本発明は、このような従来の袋体及び袋体支持具を用いるための容器が有していた問題を解決しようとするものであり、容器内部の高圧力により、容器全体が破裂する前に容器内部の圧力を外部に逃がし、全体が破裂しない容器を実現させることを第５の目的とするものである。
【課題を解決するための手段】
【００２６】
そして本発明の上記第１〜３の目的を達成するための第１の解決手段としての袋体は、容器内で固形材料を液体に浸し所望の液体を作成するための固形材料を収容した袋体であって、袋体は内部に液体が浸透し得る素材から成り、かつ袋体は容器口部を通過可能な太さの柱状の外形を備え、さらに袋体は両端の表面に開口部を有するとともに、袋体の内部に開口部を結んでなる連通路が形成された柱状袋体である。
【００２７】
そして本発明の上記第１〜３の目的を達成するための第２の解決手段としての袋体支持具は、柱状袋体の連通路に通して容器内で使用する袋体支持具であって、袋体支持具は連通路を通過可能で容器の深さとほぼ同じ長さの細長い軸から成る袋体装着部を有するとともに、連通路を通過できない太さの袋体係止部が袋体装着部を成す細長い軸に連接して形成され、串型の外形を備えた串型袋体支持具である。
【００２８】
そして本発明の上記第１〜３の目的を達成するための第３の解決手段としての袋体支持具は、柱状袋体を挟んで容器内で使用する袋体支持具であって、袋体支持具は柱状袋体の連通路の方向に沿って周方向に形成された複数の細長い支柱から成る袋体装着部を有するとともに、支柱の結束部が袋体装着部を成す細長い支柱の両端に連接して形成され、柱状で籠型の外形を備えた籠型袋体支持具である。
【００２９】
そして本発明の上記第１〜４の目的を達成するための第４の解決手段としての串型袋体支持具は、ストローとしての機能を備えた串型袋体支持具であって、串型袋体支持具の袋体装着部および係止部が中空の細長い軸により形成され、その軸の一端又は両端に連接して蛇腹を中央部に有する管が備えられた串型袋体支持具。
【００３０】
そして本発明の上記第１〜３の目的を達成するための第５の解決手段としての串型袋体支持は、容器口部での係止が可能な串型袋体支持具であって、容器の口部の内径よりも僅かに大きな外径の顎部を片側先端に有する円筒が、串型袋体支持具の細長い軸の一端に連接して設けられた串型袋体支持具である。
【００３１】
そして本発明の上記第１〜３の目的を達成するための第６の解決手段としての串型袋体支持具は、容器内の液体中で串型袋体支持具に装着された柱状袋体の移動規制・脱落防止及び浮力による液面への浮上防止が可能な串型袋体支持具であって、柱状袋体を支える袋体ガードとして、柱状袋体の側面を押さえる側面ガードと柱状袋体の端面を押さえる端面ガードが串型袋体支持具の細長い軸に連接して備えられた串型袋体支持具である。
【００３２】
そして本発明の上記第１〜４の目的を達成するための第７の解決手段としての籠型袋体支持具は、ストローとしての機能を備えた籠型袋体支持具であって、籠型袋体支持具の袋体装着部および結束部が中空の細長い支柱により形成され、その支柱の一端又は両端に連接して蛇腹を中央部に有する管が備えられた籠型袋体支持具。
【００３３】
そして本発明の上記第１〜３の目的を達成するための第８の解決手段としての籠型袋体支持は、容器口部で係止可能な籠型袋体支持具であって、容器の口部の内径よりも僅かに大きな外径の顎部を片側先端に有する円筒が、籠型袋体支持具の細長い支柱の一端に連接して設けられた籠型袋体支持具である。
【００３４】
そして本発明の上記第１〜３の目的を達成するための第９の解決手段としての籠型袋体支持具は、容器内の液体中で籠型袋体支持具に装着された柱状袋体の移動規制・脱落防止及び浮力による液面への浮上防止が可能な籠型袋体支持具であって、柱状袋体を支える袋体ガードとして、柱状袋体の側面を押さえる側面ガードと柱状袋体の端面を押さえる端面ガードが籠型袋体支持具の細長い支柱に連接して備えられた籠型袋体支持具である。
【００３５】
そして本発明の上記第１〜４の目的を達成するための第１０の解決手段としての袋体は、柱状袋体を串型袋体支持具の細長い軸を通して装着した状態で固着することにより、柱状袋体と串型袋体支持具を一つのものとして形成した串型袋体支持具付きの柱状袋体である。
【００３６】
そして本発明の上記第１〜４の目的を達成するための第１１の解決手段としての袋体は、柱状袋体を籠型袋体支持具の細長い支柱の内側に挟んで装着した状態で固着することにより、柱状袋体と籠型袋体支持具を一つのものとして形成した籠型袋体支持具付きの柱状袋体である。
【００３７】
そして本発明の上記第４の目的を達成するための第１２の解決手段としての容器は、柱状袋体を用いるための容器であって、雑菌の繁殖を抑制するために容器に抗菌加工を施して形成された柱状袋体用の抗菌容器である。
【００３８】
そして本発明の上記第５の目的を達成するための第１３の解決手段としての容器は、柱状袋体を用いるための容器であって、全体が内部圧力の上昇により膨張して破裂することを防止するため、容器に内部の高圧力で貫通破壊される部分を設けて形成された柱状袋体用の非破裂容器である。
【発明の効果】
【００３９】
上記第１の解決手段としての柱状袋体による作用は次の通りである。すなわち、袋体の両端の表面に形成された開口部を結んでなる連通路により、袋体内部の固形材料等へ液体が速やかに浸透して、抽出・溶出又は吸着等を促進することができる。これにより、抽出・溶出又は吸着等に要する時間を短縮させる袋体を提供できる。
【００４０】
上記第２の解決手段としての串型袋体支持具による作用は次の通りである。すなわち、容器口部からの柱状袋体の取り出しにおいて、袋体支持具の係止部が袋体を容器底部側の開口部で係止することにより、容器口部の外側から袋体を取り出す為に軸を引っ張る力を、袋体に対しては容器底部側から容器口部へ袋体を押し出す力に変換することができる。これにより、袋体の引っ張りによる損傷を気遣うことなく何時でも容器から袋体を取り出せる袋体支持具を提供できる。
【００４１】
上記第３の解決手段としての籠型袋体支持具による作用は次の通りである。すなわち、柱状袋体を装着部の支柱部分の内側で挟んで装着することにより、容器から袋体を単独で直接出し入れする場合に生ずる袋体と容器の口部や肩部の内側との間の摩擦を、装着部の支柱部分の外側と容器の口部や肩部の内側との間の摩擦に変換することとなり、袋体支持具は容器と袋体の摩擦を解消できる。これにより袋体の摩擦による損傷を気遣うことなく何時でも容器から袋体を出し入れできる袋体支持具を提供できる。
【００４２】
上記第４の解決手段としての蛇腹を中央部に有する管が連接して備えられた串型袋体支持具による作用は次の通りである。すなわち、細長い管により形成された串型袋体支持具の中空の軸に、蛇腹を中央部に有する管を連結してストローとして使用することで、容器の口部に直接口を付けずに済み、口飲みによる容器口部からの雑菌の侵入を抑制するとともに、蛇腹部分でストローを折り畳んで容器内に収容して蓋をすることができる。このように蛇腹を中央部に有する管を串型袋体支持具の一端又は両端に取り付けることにより、容器への雑菌の侵入を抑制する串型袋体支持具を提供できるとともに、容器を密閉して容器ごと携行することが可能な袋体支持具を提供できる。
【００４３】
上記第５の解決手段としての顎部を片側先端に有する円筒が一端に連接して設けられた串型袋体支持具による作用は次の通りである。すなわち、顎部を片側先端に有する円筒が容器口部の内側に嵌め込まれて串型袋体支持具を係止して安定させたことで、柱状袋体を装着した串型袋体支持具が容器内の液体中で不安定に動いて柱状袋体が串型袋体支持具の袋体装着部から外れ、容器から柱状袋体が取り出せなくなることを防止できるとともに、通常通り蓋をすることができる。このように顎部を片側先端に有する円筒を串型袋体支持具の一端に取り付けることにより、柱状袋体や串型袋体支持具が容器内で安定して係止され、持ち歩く際の振動や落下時の衝撃等にも対処した、容器ごと携行することが可能な袋体支持具を提供できる。
【００４４】
上記第６の解決手段としての袋体ガードが連接して備えられた串型袋体支持具による作用は次の通りである。すなわち、柱状袋体を支える柱状袋体ガードには側面を押さえる側面ガードと柱状袋体の端面を押さえる端面ガードがあり、両ガード共に落下の衝撃等、容器が激しく動かされた場合の柱状袋体の串型袋体支持具からの脱落防止の機能を有し、さらに端面ガードは柱状袋体の連通路に沿った方向への移動規制及び柱状袋体を容器へ投入した直後の柱状袋体の浮力による液面への浮上防止の機能を有する。このように袋体ガードを串型袋体支持具に取り付けることにより、柱状袋体や串型袋体支持具が容器内で安定して係止され、持ち歩く際の振動や落下時の衝撃等にも対処した、容器ごと携行することが可能な袋体支持具を提供できる。
【００４５】
上記第７の解決手段としての蛇腹を中央部に有する管が一端又は両端に連接して備えられた籠型袋体支持具による作用は次の通りである。すなわち、細長い管により形成された籠型袋体支持具の中空の細長い支柱に、蛇腹を中央部に有する管を連結してストローとして使用することで、容器の口部に直接口を付けずに済み、口飲みによる容器口部からの雑菌の侵入を抑制するとともに、蛇腹部分でストローを折り畳んで容器内に収容して蓋をすることができる。このように蛇腹を中央部に有する管を籠型袋体支持具の一端又は両端に取り付けることにより、容器への雑菌の侵入を抑制する籠型袋体支持具を提供できるとともに、容器を密閉して容器ごと携行することが可能な袋体支持具を提供できる。
【００４６】
上記第８の解決手段としての顎部を片側先端に有する円筒が一端に連接して設けられた籠型袋体支持具による作用は次の通りである。すなわち、顎部を片側先端に有する円筒が容器口部の内側に嵌め込まれて籠型袋体支持具を係止して安定させたことで、柱状袋体を装着した籠型袋体支持具が容器内の液体中で不安定に動いて柱状袋体が籠型袋体支持具の装着部から外れ、容器から柱状袋体が取り出せなくなることを防止できるとともに、通常通り蓋をすることができる。このように顎部を片側先端に有する円筒を籠型袋体支持具の一端に取り付けることにより、柱状袋体や籠型袋体支持具が容器内で安定して係止され、持ち歩く際の振動や落下時の衝撃等にも対処した、容器ごと携行することが可能な袋体支持具を提供できる。
【００４７】
上記第９の解決手段としての袋体ガードが連接して備えられた籠型袋体支持具による作用は次の通りである。すなわち、柱状袋体を支える袋体ガードには柱状袋体の側面を押さえる側面ガードと柱状袋体の端面を押さえる端面ガードがあり、両ガード共に落下の衝撃等、容器が激しく動かされた場合の柱状袋体の籠型袋体支持具からの脱落防止の機能を有し、さらに端面ガードは柱状袋体の連通路に沿った方向への移動規制及び袋体を容器へ投入した直後の柱状袋体の浮力による液面への浮上防止の機能を有する。このように袋体ガードを籠型袋体支持具に取り付けることにより、柱状袋体や籠型袋体支持具が容器内で安定して係止され、持ち歩く際の振動や落下時の衝撃等にも対処した、容器ごと携行することが可能な袋体支持具を提供できる。
【００４８】
上記第１０の解決手段としての串型支持具付きの柱状袋体による作用は次の通りである。すなわち、柱状袋体を串型袋体支持具に着脱する手間を省き、雑菌が手などを介して付着する機会を減らして、手早く容器口部からの出し入れができる。このように串型袋体支持具付きの柱状袋体は、容器内部への雑菌の侵入を抑制するとともに、何時何処でもすぐに使用できて携行に便利な袋体を提供できる。
【００４９】
上記第１１の解決手段としての籠型支持具付きの柱状袋体による作用は次の通りである。すなわち、柱状袋体を籠型袋体支持具に着脱する手間を省き、雑菌が手などを介して付着する機会を減らして、手早く容器口部からの出し入れができる。このように籠型支持具付きの柱状袋体は、容器内部への雑菌の侵入を抑制するとともに、何時何処でもすぐに使用できて携行に便利な袋体を提供できる。
【００５０】
上記第１２の解決手段としての抗菌容器による作用は次の通りである。すなわち、抗菌素材を使用して容器本体及び／又は蓋に抗菌加工を施したことにより容器内を雑菌の増殖に適さない環境に近づけることができる。これにより容器内部での雑菌の繁殖を抑制する容器を提供できる。 
【００５１】
上記第１３の解決手段としての非破裂容器による作用は次の通りである。すなわち、容器の本体及び／又は蓋の一部が容器の内部圧力の上昇により貫通破壊されて小さな穴が開き、容器内部の圧力を外部に逃がして内部の圧力を低下させることができる。このように非破裂容器は、容器内部の圧力を外部に逃がし全体が破裂しない容器を提供できる。
【発明を実施するための最良の形態】
【００５２】
以下、添付の図面に基づき、本発明を実施するための最良の形態について説明する。
図１（ａ）〜（ｄ）は、本発明の実施例となる柱状袋体を示す斜視図である。
図１（ｅ）〜（ｋ）は、本発明の作製例となる柱状袋体を示す斜視図である。
図２（ａ）〜（ｄ）は、本発明の実施例となる串型袋体支持具を示す斜視図である。
図３（ａ）〜（ｅ）は、本発明の実施例となる籠型袋体支持具を示す斜視図である。
図４は、蛇腹を中央部に有する管の実施例を示す斜視図である。
図５は、顎部を片側先端に有する円筒の実施例を示す斜視図である。
図６は、袋体ガードの実施例を示す斜視図である。
図７は、抗菌・非破裂容器の実施例を示す斜視図である。
図８は円柱型袋体と串型袋体支持具と抗菌・非破裂容器の使用例を示す斜視図である。
図９は紡錘型袋体と串型袋体支持具と抗菌・非破裂容器の使用例を示す斜視図である。
図１０（ａ）は紡錘型袋体と串型袋体支持具と非破裂容器の使用例を示す斜視図である。
図１０（ｂ）は円柱型袋体と籠型袋体支持具と非破裂容器の使用例を示す斜視図である。
図１１（ａ）〜（ｂ）は本発明の実施例となる串型支持具付き袋体を示す斜視図である。
図１１（ｃ）〜（ｆ）は本発明の実施例となる籠型支持具付き袋体を示す斜視図である。
【００５３】
容器６０は、ガラス・鉄やアルミニウム等の金属・ＰＥＴ樹脂やプラスチック又はアクリル等の合成樹脂・紙等の様々な素材からなり、その容器内の石油系燃料・アルコール類・油脂類・水等様々な液体８０において、容器口部の大きさに左右されずに、口部の小さな容器内でも、塗料・顔料・染料・薬品・化粧品・嗜好品・吸着材・薬草・ハーブ・漢方薬・活性炭・サンゴ・麦飯石・セラッミック等の様々な固形材料１３を収容して液体８０に浸し、抽出・溶出又は吸着等の作用により所望の液体の作成を可能とする柱状袋体１０・１９・串型袋体支持具２０・籠型袋体支持具３０・串型支持具付き袋体７０・籠型支持具付き袋体７０及び抗菌・非破裂容器６２を提供するものである。
【００５４】
図１（ａ）〜（ｄ）は、柱状袋体の実施例を示している。同図（ａ）（ｃ）は柱状袋体が円柱形の円柱型袋体１０の場合であり、同図（ａ）（ｃ）は、柱状袋体が紡錘形の紡錘型袋体１９の場合を示す。
【００５５】
本発明に係る柱状袋体は、液体の袋体内部への浸透を可能とする素材を単独で又は組み合わせて使用して作成される。例えば不職布、濾紙やコーヒー抽出用の紙フィルター等の多孔質な紙、布状の繊維または合成繊維、網状の繊維または合成繊維、ステンレス等の金属素材等を使用する。
【００５６】
同図（ｅ）〜（ｋ）は，柱状袋体の作製例を示している。同図（ｅ）（ｆ）（ｇ）（ｈ）（ｊ）により円柱型袋体１０の場合を、同図（ｅ）（ｆ）（ｇ）（ｉ）（ｋ）により紡錘型袋体１９の場合を説明する。
【００５７】
まず、円柱型袋体１０の作製には、矩形平形袋体１４と細長い管１５又は表面に穴の開いた細長い管１６を準備する。つぎに細長い矩形の素材を長手方向に半分に折り畳み、その折り目に平行に僅かに縫い代等の接合部分を残して、縫合等の接合をすることにより折り畳まれた円筒の両端にできる輪の片側から裏返して縫い代等の接合部分を内側に折り込んだ円筒形の素材１７を準備する。さらに矩形平形袋体１４に固形材料１３を収容し連通路１２を形成する細長い管１５又は１６を中心軸としてこの周囲に矩形平形袋体１４を巻き付け、同図（ｊ）のように矩形平形袋体１４の直線の両端を細長い管１５又は１６に沿って密着させた状態でこの袋体を円筒形の素材１７の内側に挿入することにより全体が円柱形で管状の連通路を内部に備えた同図（a）の円柱型袋体が形成される。
【００５８】
このような構成であると、直接袋体自体に連通路を形成する複雑な工程を経ずに、使用する容器の口部の大きさに合わせた外形が円柱型で管状の連通路を内部に備えた柱状袋体の形成が可能となる。また上記において細長い管１５又は１６を使用せずに矩形平形袋体１４を単独で円柱状に丸めて上記円筒形の素材１７の内側に挿入することにより全体が円柱形で線状の連通路を内部に備えた同図（ｃ）の円柱型袋体が形成される。
【００５９】
一方、紡錘型袋体１９の作製には、矩形平形袋体１４と細長い管１５又は１６を準備する。つぎに細長い矩形の素材を長手方向に半分に折り畳み、その表面に紡錘形の中心軸を通る断面の形状に縫合等の接合をして形作られ折り畳まれた紡錘形の両端にできる輪の片側から裏返して、縫い代等の接合部分を内側に折り込んだ紡錘形の素材１８を準備する。さらに矩形平形袋体１４に固形材料１３を収容し、連通路１２を形成する細長い管１５又は１６を中心軸として周囲に矩形平形袋体１４を巻き付け、同図（ｋ）のように矩形平形袋体１４の直線の両端を細長い管１５又は１６に沿って密着させた状態でこの袋体を紡錘形の素材１８の内側に挿入することにより全体が紡錘形で管状の連通路を内部に備えた同図（b）の紡錘型袋体が形成される。
【００６０】
このような構成であると、直接袋体自体に連通路を形成する複雑な工程を経ずに、使用する容器の口部の大きさに合わせた外形が紡錘型で管状の連通路を内部に備えた袋体の形成が可能となる。また、上記において細長い管１５又は１６を使用せずに矩形平形に形成した矩形平形袋体１４を単独で円柱状に丸めて上記紡錘形の素材１８の内側に挿入することにより全体が紡錘形で線状の連通路を内部に備えた同図（ｄ）の紡錘型袋体が形成される。
【００６１】
図２は、串型袋体支持具２０の実施例を示している。同図（ａ）は袋体係止部が固定の場合、同図（ｂ）（ｃ）（ｄ）（ｅ）は袋体係止部が可変の場合を示す図である。この串型袋体支持具２０は、柱状袋体の連通路１２を通過可能な太さで前記容器６０の深さとほぼ同じ長さの細長い軸２１と連通路１２を通過しない大きさの固定の袋体係止部２２とから構成されている。また、串型袋体支持具２０にストローしての機能を持たせる場合には、細長い軸２１には細長い中空の軸を使用する。
【００６２】
本発明に係る袋体支持具２０の材質としては、液体中でも変質しない固形素材、例えば液体が水である場合には、プラスチック等の合成樹脂、ステンレス等の金属、紙、木，竹、繊維または合成繊維等、水と反応しない任意の素材を使用することができる。
【００６３】
同図（ａ）に示す串型袋体支持具２０の固定の袋体係止部２２は、連通路１２を通過しない大きさの係止具が前記棒状の軸２１の片側先端部分に固着されるか又は、棒状の軸２１の片側先端部分が連通路を通過しない大きさに成型されている。また係止具の材質は袋体支持具の一部分として液体中でも変質しない固形素材からなり、大きさは連通路を通過せず容器の口部は通過可能な太さに形成されている。また、形状は任意で良いが、例えば円錐形または角錐形とすることができる。また棒状の軸の片側先端部分を成型する場合も同様に、形状は任意で良いが、例えば円錐状または角錐状とすることができる。
【００６４】
次に、同図（ｂ）に示す串型袋体支持具２０の可変の袋体係止部２４は、棒状の軸２１の外周に滑らせて重ね合わせた細長い円筒２３の一部分の膨らみが可変の袋体係止部２４であって、細長い円筒２３の一端には先端から容器６０口部の内径程度の長さの距離を置いた位置に、前記容器６０口部の内径程度の長さで連通路方向に沿って平行に真っ直ぐな切り込みが周方向に複数形成された切り込み部分２７を備えている。この切り込み部分２７は３個所以上が望ましい。また、細長い円筒２３の他の一端にも前記切り込み部分２７が同様の方法で形成され、この細長い円筒２３の内部に容器の深さとほぼ同じ長さの棒状の軸２１が挿入されている。そして、この細長い円筒２３の両端から圧迫して棒状の軸２１と細長い円筒２３の両端を一致させて結合した状態で、両端の切り込み部分２７に前記連通路は通過せず容器の口部は通過可能な袋体係止部としての膨らみ２４が形成されている。
【００６５】
次に、同図（ｃ）に示す串型袋体支持具２０の可変の袋体係止部２４は、棒状の軸２１の外周に滑らせて重ね合わせた細長い円筒２３の一部分の膨らみが可変の袋体係止部２４であって、細長い円筒２３の一端には先端から容器６０口部の内径程度の長さに距離を置いた位置に、前記容器６０口部の内径程度の長さで連通路方向に沿って平行に真っ直ぐな切り込みが周方向に複数形成された切り込み部分２７を備えている。この切り込み部分２７は３個所以上が望ましい。また、細長い円筒２３の他の一端には、先端から容器６０口部の内径程度の距離を置いて切断して設けた間隔に前記容器６０口部の内径程度の長さの弾性体２５がはめ込まれ、さらに、この細長い円筒２３の内部に容器の深さとほぼ同じ長さの棒状の軸２１が挿入されている。そして、この細長い円筒２３の両端から圧迫して棒状の軸２１と細長い円筒２３の両端を一致させて結合した状態で切り込み部分２７に前記連通路は通過せず容器の口部は通過可能な袋体係止部としての膨らみ２４が形成されている。
【００６６】
同図（ａ）のように串型袋体支持具２０の係止部が固定されている場合の、柱状袋体の串型袋体支持具２０への脱着について説明する。袋体支持具２０への袋体１０の着脱は係止部と反対側の袋体支持具の末端から柱状袋体の連通路１２に棒状の軸２１を通して行なう。一方取り外しは装着の逆手順で行い、係止部２２を指で摘んで柱状袋体を下方に向ければ、柱状袋体は自重で下方に落下して取り外しが完了する。
【００６７】
同図（ｂ）のように袋体支持具の両側に切り込み部分２７が形成されて膨らみ２４がある場合の、柱状袋体の串型袋体支持具２０への脱着について説明する。まず、片手の人差し指の先を袋体支持具２０の片側末端に掛け同じ側の片方の膨らみ２４を間にして親指と中指で袋体支持具２０を挟んで保持し、人差し指を曲げて親指と中指の間にある膨らみ２４を圧迫して縮ませる事により他方の膨らみ２４が引き伸ばされた状態となる。この状態で柱状袋体を袋体支持具２０に連通路を通過させて装着する。その後に人差し指を放せば両方の膨らみ２４は元の状態に戻り柱状袋体を係止して装着が完了する。一方取り外しは装着の逆手順で行い袋体支持具２０に装着された柱状袋体を下方にして上方の膨らみ２４を装着時と同様の方法で縮ませれば下方の膨らみ２４が引き伸ばされて係止の外れた柱状袋体は自重で下方に落下して取り外しが完了する。この様に袋体支持具２０への柱状袋体の着脱が円滑に行なうことができる。
【００６８】
同図（ｃ）のように串型袋体支持具２０の片側に切り込み部分２７が形成されて膨らみ２４があり、もう片方には切断して設けられた間隔に弾性体２５がはめ込まれている場合の、柱状袋体の串型袋体支持具２０への脱着について説明する。まず、片手の人差し指の先を弾性体２５側の袋体支持具２０の末端に掛け弾性体２５を間にして親指と中指で袋体支持具を挟んで保持し、人差し指を曲げて弾性体２５を圧迫して縮ませる事により他方の膨らみ２４が引き伸ばされた状態となる。この状態で柱状袋体を袋体支持具２０に連通路を通過させて装着する。その後に人差し指を放せば他方の膨らみ２４は元の状態に戻り袋体を係止して装着が完了する。一方取り外しは装着の逆手順で行い袋体支持具２０に装着された柱状袋体を下方にして上方の弾性体２５を装着時と同様の方法で縮ませれば他方の膨らみ２４が引き伸ばされて係止の外れた柱状袋体は自重で下方に落下して取り外しが完了する。この様に袋体支持具２０への袋体１０の着脱が円滑に行なうことができる。
【００６９】
また、使用する液体８０の容器への注入は、固形材料を収容した柱状袋体と袋体支持具２０の容器への投入の前でも後でもよいが、固形材料１３への液体の浸透を円滑に行い投入時における固形材料を収容した柱状袋体の浮力による液体からの浮上を抑制するには、固形材料を投入後に液体８０を注入することが望ましく、投入時に固形材料を収容した袋体に液体が直接注がれ浸透が円滑に行なわれて浮上を抑制することができると同時に、固形材料１３に液体８０が効果的に浸透して抽出・溶出又は吸着等の作用の促進を図ることが可能となる。
【００７０】
図３は、籠型袋体支持具の実施例を示している。同図（ａ）は結束部が細長い棒の屈曲成型及び末端の接合又は係止による場合，同図（ｂ）は結束部が細長い棒からなる輪の屈曲成型による場合、同図（ｃ）は結束部が輪状結束具の場合，同図（ｄ）は結束部が円筒結束具の場合、同図（ｅ）は結束部が細長い棒の支柱部分末端の結合による場合、同図（ｆ）は結束部の一端が円筒結束具で、もう一端が屈曲成型及び末端の接合又は係止による場合である。この籠型袋体支持具３０は、柱状袋体の連通路の方向に沿って周方向に形成された複数の細長い支柱から成る袋体装着部と細長い支柱の結束部とから構成されている。また、籠型袋体支持具３０にストローしての機能を持たせる場合には、細長い支柱３１には細長い中空の支柱を使用する。
【００７１】
本発明に係る袋体支持具３０の材質としては、液体中でも変質しない固形素材、例えば液体が水である場合には、プラスチック等の合成樹脂、ステンレス等の金属、紙、木，竹、繊維または合成繊維等、水と反応しない任意の素材を使用することができる。
【００７２】
柱状袋体の串型袋体支持具３０への脱着について説明する。まず、両端の結束部３２で保持された装着部２６を押し広げて袋体を装着部２６の支柱部分の内側で挟んで装着する。これにより、容器６０に柱状袋体を単独で直接出し入れする場合に生ずる柱状袋体と容器６０口部の内側との間の摩擦が、装着部２６の支柱部分の外側と容器６０口部の内側との間の摩擦となり、摩擦により引き起こされる柱状袋体への損傷を与えずに柱状袋体の容器６０口部からの円滑な投入及び取り出しを可能としている。
【００７３】
次に、この実施例となる籠型袋体支持具３０の作成例を説明する。同図（ａ）のように、結束部３２を細長い棒の支柱部分３１の屈曲成型及び末端の接合又は係止によって形成する場合の例としては、長さが容器の深さの３倍でステンレス製の針金を全体が３等分されるように２個所を折り曲げて束ね、両方の針金の先端をそれぞれの屈曲部分に接合又は係止する。係止は針金の先端または屈曲部分を曲げて行えばよく、例えば円形の小さな輪を針金の先端に形成して屈曲部分を通せば係止できる。
【００７４】
同図（ｂ）のように、結束部が細長い棒からなる輪の屈曲成型による場合の例としては、長さが容器の深さの４倍でステンレス製の針金の輪を全体が４等分されるように４個所を折り曲げて束ねればよい。両端の結束部３６は２本の細長い棒の支柱部分３１の屈曲により形成されており、屈曲部先端を重ねあわせて接合または係止してもよい。
【００７５】
同図（ｃ）のように、結束部が輪状結束具の場合の例としては、長さが容器の深さとほぼ同じステンレス製の３本の針金を容器口部が通過可能な輪状の結束具３３の内側に周方向に均等な間隔で結合させればよい。この輪状の結束具３３は、任意の形状、例えば角柱、星形や雪の結晶形の輪等が可能である。
【００７６】
同図（ｄ）のように、結束部が円筒結束具の場合の例としては、長さが容器の深さとほぼ同じステンレス製の３本の針金を容器口部が通過可能な円筒の結束具３４の内側に周方向に均等な間隔で結合させればよい。また結束具３４の長さを容器口部の先端から容器中の溶液の液面までの距離よりも長く形成することにより、浮上しようとする柱状袋体の上端が容器口部側の結束具３４の下端で係止され溶液中の袋体の浮上を防止することも同時に可能となる。また円筒であるため、容器に袋体支持具を装着したままで液体の容器への出し入れも可能となる。
【００７７】
同図（ｅ）のように結束部が細長い棒の支柱部分末端の結合による場合場合の例としては結束部が複数の細長い棒の支柱部分３１末端の接合部３５により形成されている例である。接合の方法は細長い棒の材質により様々であり、接着剤や接着テープ等による接着・熱や溶剤による溶着・圧着・紐や針金等による縛り付け等でよい。
【００７８】
同図（ｆ）のように結束部の一端が円筒結束具で、もう一端が屈曲成型及び末端の接合又は係止による場合の例としては、まず、長さが容器の深さとほぼ同じステンレス製の針金を１本と長さが容器の深さのほぼ２倍の長さのステンレス製の針金を１本用意して、中央から折り畳んだ２倍の長さの針金の両端と同じ長さの針金の一端の３本を結束具３４の内側に周方向に均等な間隔で結合させる。次に２倍の長さの針金の屈曲部に同じ長さの針金の結合されていない方の一端が接合又は係止されている。
【００７９】
図４は、容器内で使用する袋体支持具２０・３０にストローとしての機能を持たせるための管であって、細長い管により形成された、串型袋体支持具の細長い中空の軸または籠型袋体支持具の細長い中空の支柱に取り付けられた蛇腹４１を中央部に有する管４０である。
【００８０】
コップ等の容器内の液体を飲む方法としてストローを使用することは一般的であるが、口部の小さな容器の場合には直接容器の口部に唇をつけて飲む所謂口飲みが広く行われている。この口飲みによる弊害は大きく、口飲みによって汚れた容器の口部に繁殖した雑菌が容器内部に侵入してさらに繁殖して飲む人の口から体内に侵入する。
【００８１】
また、もし複数の人が同じ容器で口のみを行う所謂回し飲みが行われれば、病気の感染の可能性もある。また何か食べ物を口に含んだまま口飲みをした場合には、口の中の食べ滓が唇を容器の口部から離す際に液体と共に容器の中に入り込んでしまい、その食べ滓が容器の中で腐敗して雑菌の繁殖を助長することとなる。一方、コップ等の別の容器に口部の小さな容器の液体を移して飲むには、常にコップ等の別の容器を準備しておかなければならないこととなりさらに携行品が増え不便である。
【００８２】
同図のような、蛇腹を中央部に有する管４０を、細長い管で形成した串型袋体支持具の中空の軸又は籠型袋体支持具の中空の支柱の一端又は両端に延長して接合することにより、袋体支持具全体が容器底部側では蛇腹部分で折り曲げられてその先端が容器底部の角に届くストローとしての機能を果たすと同時に、容器口部側では蛇腹部分４１で折りたたまれて容器内に収容可能なストローとしての機能を果たし、さらに容器中に折り曲げられてその先端で溶液中の袋体の浮上を防止する係止具ともなる。
【００８３】
以上のことから口部の小さな容器内の液体を飲む方法としてはストローを使用することが望ましく、容器口部からの雑菌の侵入や容器内での雑菌の繁殖を軽減すると同時にストローを折り畳んで容器内に収容することで携行も容易であり、容器の底に残った液体もストローを折り曲げて角に届かせることで飲み易くすることが可能である。また容器口部側で折り畳まれたストローの先で係止して、丁度浮き上がろうとする袋体を上から押さえることが可能である。
【００８４】
図５は、袋体支持具を容器口部で係止するための円筒であって、串型袋体支持具の細長い軸または籠型袋体支持具の細長い支柱に取り付けられた、容器の口部の内径よりも僅かに大きな外径の顎部４３を片側先端に有する円筒４２である。
【００８５】
容器に袋体支持具を係止することにより、容器を携行している際に必然的に起こる揺れや振動または落下の際に生じる衝撃によって引き起こされる容器と袋体との衝突を防止することが可能となる。また円筒の顎部４３を指で挟んでの袋体支持具の取り出しが可能となる。また円筒内部の連接部４６・４７は円筒の内側で袋体支持具と接続された状態で容器口部の液体の出入りを妨げないように十分な隙間が取られている。
【００８６】
同図のような、顎部を片側先端に有する円筒４２は、容器６０の口部を通過可能な円筒４８の片側先端の外径を容器６０の口部の内径よりも僅かに大きく形成して容器６０の口部の縁に係止可能な顎部４３を設け、この顎部４３を有する円筒内部の連接部４６・４７を袋体支持具の一端に結合して容器６０の口部での係止を可能とした。
【００８７】
同図（ａ）のような串型用連接部４６は、串型袋体支持具の軸に連接させる場合であり、同図（ｂ）のような籠型用連接部４７は、籠型袋体支持具の支柱に連接させる場合である。
【００８８】
図６は、容器内で袋体支持具に装着された柱状袋体１０の移動規制・脱落防止及び浮力による液面への浮上防止のためのガードであって、串型袋体支持具の軸または籠型袋体支持具の支柱に取り付けられた袋体ガード４４・４５である。
【００８９】
同図のように、柱状袋体の袋体支持具への装着をさらに確実にするため、串型袋体支持具の長細い軸または籠型袋体支持具の長細い支柱には、袋体の側面を押さえる側面ガード４４と袋体の端面を押さえる端面ガード４５が取り付けられる。側面ガード４４は容器が激しく動かされた場合の袋体の袋体支持具からの脱落防止の機能を有し、端面ガード４５は袋体の導水路に沿った方向への移動規制及び容器への投入時における袋体の浮力による液面からの浮上防止の機能を有する。
【００９０】
同図のように袋体ガードは、同図（ａ）の側面ガード４４と同図（ｂ）の端面ガード４５の２種類であり、材質は袋体支持具と同様に液体中でも変質しにくい固形素材からなり、側面ガード４４の望ましい形状としては容器の口部内径よりも僅かに小さな外径の円筒の曲面に沿った薄い板状で形は任意でよいが楕円形等角を持たない形がよい。また端面ガード４５は袋体支持具と同様に液体中でも変質しにくい固形素材からなり端面ガード４５の望ましい形状としては容器の口部よりも僅かに小さな外径の円形または同図（ｄ）の端面ガード４５のようにドーナツ型の輪等がよい。同図（ｃ）の端面ガード４５のように小さな穴を通して支柱へ取り付ければ、袋体の長さによって端面ガード４５の縦方向への移動が可能となり便利である。同図（ｅ）は、端面ガード４５が細長い軸２１に取り付けられた場合である。
【００９１】
図７は、柱状袋体１０を用いるための容器であって、雑菌の繁殖を抑制するために容器６０の本体及び／又は蓋５０に抗菌加工が施されたことを特徴とする抗菌容器である。
【００９２】
同図において、容器口部からの雑菌の侵入や容器内での雑菌の繁殖を抑制するため、容器６０の本体及び／又は蓋の内側底部にはめ込まれた栓部分５１も含む蓋５０を形成する素材に抗菌素材を使用するか又は、容器６０の全体及び／又は内部に抗菌シールド５３・６３をかける等の抗菌加工を施したものである。例えば銀系の無機化合物を樹脂加工により使用素材に練り込めば、溶け込んではいないために表面に出てきて容器内の雑菌の増殖を抑制することができて望ましい。詳しくは、抗菌加工製品ガイドライン・生活関連新機能加工製品懇談会／大蔵省印刷局１９９９年、に準拠する。
【００９３】
同図（ａ）は抗菌容器６２の抗菌蓋５２であり、同図（ｂ）は同図（ａ）におけるＡ−Ａの拡大断面図であり、同図（ｃ）は抗菌シールド５３等の抗菌加工を施した蓋５０であり、同図（ｄ）は同図（ｃ）におけるＡ−Ａの拡大断面図である。また同図（ｅ）は抗菌容器６２の本体であり、同図（ｆ）は抗菌シールド６３等の抗菌加工を施した容器６０の本体である。
【００９４】
図７は、前記柱状袋体を用いるための容器であって、全体が内部圧力の上昇により破裂することを防止するために、容器に内部圧力の上昇により貫通破壊されるように設計された部分を設けたことを特徴とする非破裂容器６２である。
【００９５】
ペットボトル内にドライアイスを投入して密閉することによって引き起こされる破裂を予防するための処置として、例えば同図のように微小な窪みを容器の蓋５０または容器本体６０の一部に形成して、容器全体が破裂する前に微小な窪み部分を貫通破壊させ内部の圧力を減圧して容器全体の破裂を未然に防止することが可能となる。容器の蓋の微小な窪み部分の望ましい位置としては、蓋の底部の中央で外側５４と内側５５の場合があり、容器本体の微小な窪み部分の位置としては、容器底部の厚みのある部分６１等で内側６４と外側６５の場合がある。窪みの大きさは容器の大きさや材質によって異なるが、冷蔵庫内で容器内の液体８０が凍結した場合では貫通破壊されず、ドライアイス等による容器内部の異常な高圧によって貫通破壊がおきる強度に調整されている。
【００９６】
同図（ａ）は蓋外側の窪み５４を備えた抗菌・非破裂蓋５２であり、同図（ｂ）は同図（ａ）におけるＡ−Ａ拡大断面図である。同図（ｃ）は蓋内側の窪み５５を備えた蓋５０である。同図（ｄ）は同図（ｃ）におけるＡ−Ａ拡大断面図である。同図（ｅ）は容器内側の窪み６４を容器底部の厚みのある部分６１に備えた抗菌・非破裂容器６２の本体であり、同図（ｆ）は容器外側の窪み６５を容器底部の厚みのある部分６１に備えた口部の小さな容器６０の本体である。
【００９７】
図８は固形材料１３を収容した図１（ａ）の円柱型袋体１０を図４の蛇腹を中央部に有する管４０を取り付けた図２（ａ）の串型袋体支持具２０に装着して、抗菌容器６２の本体に投入して液体８０を注入して所望の液体を作成している状態を示す図である。容器口部付近には蛇腹を中央部に有する管４０が袋体支持具２０の中空の軸２１に結合され、折り畳まれて収容可能なストローとなっている。さらに図７（ｃ）（ｄ）の抗菌・非破裂機能を持つ蓋５０が装着されている。
【００９８】
この図８の状態に至る手順としては、まず袋体支持具２０の蛇腹を中央部に有する管４０を円柱型袋体１０の連通路に通して袋体を袋体支持具２０に装着して、係止具または成型された固定の袋体係止部２２で係止させ、この袋体係止部２２の先端から容器６０の口部に円柱型袋体１０を装着した袋体支持具２０を投入する。次に液体８０を容器６２の本体の口部から注入する。この際、蛇腹を中央部に有する管４０の蛇腹状に形成した部分４１で折り畳んでおけば管４０の先端が液体の中から浮力によって液面に浮かび上がろうとする袋体を押さえて液体中に係止することが可能である。
【００９９】
つぎに、液体８０を注入した後に抗菌・非破裂機能を持つ蓋５０を装着する。容器６２の内部では管状の連通路１２と中空の軸２１の間隙から円柱型袋体１０の内部に導水が図られ固形材料１３に液体８０が浸透し、固形材料１３の液体８０の中での抽出・溶出又は吸着等を促進している。またこの状態で容器６２は携行可能であり、５００ｍｌ以下のペットボトル等の容器のように、頻繁に持ち歩く状況においても十分に使用に耐え得る。落下の衝撃や乗り物の揺れ、歩行時の振動は、かえって固形材料１３の液体８０の中での抽出・溶出又は吸着等の作用の促進を図ることにもなる。
【０１００】
容器６２からの円柱型袋体１０を装着した袋体支持具２０の取り出しにおいては、抗菌・非破裂機能を持つ蓋５０を外し、蛇腹状に形成した部分４１を指で摘んで円柱型袋体１０を装着した袋体支持具２０を引き出す。その際円柱型袋体１０に収容された固形材料１３に液体が浸透している場合には、容器６２口部の内側肩部分で円柱型袋体１０を絞りながら取り出すことが可能である。取り出した円柱型袋体１０を装着した袋体支持具２０は袋体係止部２２を摘んで逆さまにして、円柱型袋体１０が自然に落下する場合にはそれで取り外しが終了する。自然に落下しない場合には円柱型袋体１０を指で挟んで取り外す。円柱型袋体１０を取り外した袋体支持具２０は再び袋体係止部２２の先端から容器６２の口部に挿入すれば、折り畳まれて収容可能なストローとなる。
【０１０１】
図９は固形材料１３を収容した図１（ｂ）の紡錘型袋体１９を図２（ｂ）の両方に膨らみ２４を備えた袋体支持具２０に装着して、抗菌容器６２の本体に投入して液体８０を注入して所望の液体を作成している状態を示す図である。尚、この袋体支持具２０には両端に図４の蛇腹状に形成した細長い円筒４０と図５（ａ）の容器口部に係止可能な顎部を片側先端に有する円筒４２を串型用連接部４６で結合し、抗菌容器６２の本体には図７（ｂ）の抗菌・非破裂機能を持つ蓋５０を装着している。
【０１０２】
まず固形材料１３を収容した図１（ｂ）の紡錘型袋体１９を顎部を片側先端に有する円筒４２が結合されていない方の蛇腹を中央部に有する管４０の先端から紡錘型袋体１９１０の連通路１２に通して袋体支持具２０に装着する。その際、顎部を片側先端に有する円筒４２が結合されている方の蛇腹を中央部に有する管４０の蛇腹状に形成した部分４１を折り曲げて人差し指を掛け、膨らみ２４を間にして親指と中指で細長い円筒２３を挟んで持ち、人差し指を曲げながら指の間の膨らみを圧迫して縮ませ、もう一方の膨らみ２４を引き伸ばして細くさせ、袋体１０の連通路１２を通して装着する。、引き伸ばされた膨らみ２４が紡錘型袋体１９の連通路１２を通過後は、人差し指を伸ばして縮ませた方の膨らみ２４を元の状態に戻せば、引き伸ばされた膨らみ２４も元の状態に戻り紡錘型袋体１９は２個所の膨らみの間に係止される。
【０１０３】
このように、蛇腹を中央部に有する管４０と顎部を片側先端に有する円筒４２を備えた袋体支持具２０に紡錘型袋体１９を装着して、紡錘型袋体１９の連通路１２に通した側の蛇腹を中央部に有する管４０の先端から口部の抗菌容器６２に投入して容器口部に係止可能な顎部を片側先端に有する円筒４２を容器６２の口部に挿入して係止させる。この状態で容器６２に液体８０を注入する。紡錘型袋体１９が液体中で浮力によって浮き上がっても容器口部側の膨らみで係止されるので液面上には出ない。液体８０の注入が終了後は抗菌・非破裂機能を持つ蓋５０を装着する。容器６２の内部では管状の連通路１２と中空の軸２１の間隙から紡錘型袋体１９の内部に導水が図られ固形材料１３に液体８０が浸透し、固形材料１３と液体８０の間の抽出・溶出又は吸着等の作用の促進を可能としている。
【０１０４】
またこの状態で容器６２は携行可能であり、ペットボトル等のように、頻繁に持ち歩く状況においても十分に使用に耐え得る。落下の衝撃や乗り物の揺れ、歩行時の振動等にも紡錘型袋体１９が容器６２と衝突することは無く、かえって固形材料１３と液体８０の間の抽出・溶出又は吸着等の作用の促進を図ることにもなる。容器６２からの紡錘型袋体１９を装着した袋体支持具２０の取り出しにおいては、抗菌・非破裂機能を持つ蓋５０を外し、容器口部に係止可能な顎部を片側先端に有する円筒４２の顎部４３を指で挟むか、又は蛇腹状に形成した部分４１を指で摘んで紡錘型袋体１９を装着した袋体支持具２０を引き出す。すると袋体支持具２０を引き出す力は容器底部側のふくらみ２４の係止部によって、袋体を底部側から押し出す。その際紡錘型袋体１９に収容された固形材料１３に液体が浸透して膨張している場合には、容器６２口部の内部肩部分で液体を絞りながら取り出すことが可能である。
【０１０５】
取り出した紡錘型袋体１９を装着した袋体支持具２０は紡錘型袋体１９を下に向けて、装着時と同様に蛇腹を中央部に有する管４０の蛇腹状に形成した部分４１を折り曲げて人差し指を掛け、膨らみ２４を間にして親指と中指で細長い円筒２３を挟んで持ち、人差し指を曲げながら指の間の膨らみを圧迫して縮ませるともう一方の紡錘型袋体１９の連通路１２に通した側の膨らみ２４は引き伸ばされて細くなり係止が外れ紡錘型袋体１９は自重で落下して取り外しが完了する。紡錘型袋体１９を取り外した袋体支持具２０は再び紡錘型袋体１９の連通路１２に通した側の細長い円筒４０の先端から容器６２の口部に挿入すれば、折り畳まれて収容可能なストローとなる。
【０１０６】
図１０（ａ）は固形材料１３を収容した図１（ｂ）の紡錘型袋体１９を図２（ｃ）の一端に蛇腹を中央部に有する管４０と袋体係止部として膨らみ２４を備え、もう一端に弾性体２５を備えた袋体支持具２０に装着して、抗菌容器６２に投入して液体８０を注入して所望の液体を作成している状態を示す図である。尚、この図２（ｃ）の袋体支持具２０には両端に図４の蛇腹を中央部に有する管４０と図５（ａ）の容器口部に係止可能な顎部を片側先端に有する円筒４２を串型連接部４６で結合し、抗菌容器６２には図７（ａ）（ｂ）の抗菌・破裂防止蓋５０を装着している。
【０１０７】
まず固形材料１３を収容した図１（ｂ）の紡錘型袋体１９を膨らみ部分２４側に結合した蛇腹を中央部に有する管４０の先端から紡錘状袋体１９の連通路１２に通して図２（ｃ）の袋体支持具２０に装着する。その際、弾性体２５側の蛇腹を中央部に有する管４０の蛇腹状に形成した部分４１を折り曲げて人差しを掛け、弾性体２５を間にして親指と中指で細長い円筒２３を挟んで持ち、人差し指を曲げながら指の間の弾性体２５を圧迫して縮ませると、膨らみ２４は引き伸ばされて細くなり、紡錘型袋体１９は連通路１２を通して装着される。引き伸ばされた膨らみ２４を紡錘型袋体１９の連通路１２を通過後に、人差し指を伸ばして弾性体２５を元の状態に戻せば、引き伸ばされた膨らみ２４も元の状態に戻り紡錘型袋体１９は端面ガード４５と膨らみ２４の間に係止される。
【０１０８】
このように、両端の蛇腹状に形成した蛇腹を中央部に有する管４０と容器口部に係止可能な顎部を片側先端に有する４２を備えた袋体支持具２０に紡錘型袋体１９を装着して、紡錘型袋体１９の連通路１２に通した側の蛇腹を中央部に有する管４０の先端から容器６２に投入して容器口部に係止可能な顎部を片側先端に有する４２を容器６２の口部に挿入して係止させる。この状態で容器６２に液体８０を注入する。紡錘型袋体１９が液体中で浮力によって浮き上がっても端面ガード４５で係止されるので液面上には出ない。液体８０の注入が終了後は抗菌・破裂防止蓋５０を装着する。容器６２の内部では管状の連通路１２と中空の軸２１の間隙から紡錘型袋体１９の内部に導水が図られ固形材料１３に液体８０が浸透し、固形材料１３と液体８０の間の抽出・溶出又は吸着等の作用の促進を可能としている。
【０１０９】
またこの状態で容器６２は携行可能であり、ペットボトル等のように、頻繁に持ち歩く状況においても十分に使用に耐え得る。落下の衝撃や乗り物の揺れ、歩行時の振動等にも紡錘型袋体１９が抗菌容器６２と衝突することは無く、かえって固形材料１３と液体８０の間の抽出・溶出又は吸着等の作用の促進を図ることにもなる。抗菌容器６２からの紡錘型袋体１９を装着した図２（ｃ）の袋体支持具２０の取り出しにおいては、抗菌・非破裂蓋５０を外し、容器口部に係止可能な顎部を片側先端に有する４２の顎部４３を指で挟むか、又は蛇腹状に形成した部分４１を指で摘んで紡錘型袋体１９を装着した袋体支持具２０を引き出す。その際紡錘型袋体１９に収容された固形材料１３に液体８０が浸透している場合には、抗菌容器６２口部の内部肩部分で液体を絞りながら取り出すことが可能である。
【０１１０】
取り出した紡錘型袋体１９を装着した袋体支持具２０は紡錘型袋体１９を下に向けて、装着時と同様に蛇腹を中央部に有する管４０の蛇腹状に形成した部分４１を折り曲げて人差し指を掛け、弾性体２５を間にして親指と中指で細長い円筒２３を挟んで持ち、人差し指を曲げながら指の間の弾性体２５を圧迫して縮ませると膨らみ２４は引き伸ばされて細くなり係止が外れ紡錘型袋体１９は自重で落下して取り外しが完了する。紡錘型袋体１９を取り外した図２（ｃ）の袋体支持具２０は再び紡錘型袋体１９の連通路１２に通した側の蛇腹を中央部に有する管４０の先端から抗菌容器６２の口部に挿入すれば、折り畳まれて収容可能なストローとなる。
【０１１１】
図１０（ｂ）は固形材料１３を収容した図１（ａ）の円柱型袋体１０を図３（ｂ）の袋体支持具３０に装着して、抗菌容器６２に投入して液体８０を注入して所望の液体を作成している状態を示す図である。この図３（ｂ）の袋体支持具３０には両端に蛇腹を中央部に有する管４０が袋体支持具３０の細長い管状の支柱部分３１に結合されている。また容器口部には容器口部に係止可能な顎部を片側先端に有する４２が連接部４６で図３（ｂ）の袋体支持具３０に連接されて、袋体支持具３０は抗菌容器６２に係止されている。さらに抗菌容器６２には図７（ａ）の抗菌・破裂防止蓋５０と袋体ガード４４を装着している。
【０１１２】
この図１０の状態に至る手順としては、まず図３（ｂ）の袋体支持具３０の細長い管状の支柱部分３１を押し広げて円柱型袋体１０を袋体ガード４４に挟まれるように装着して、容器口部に係止可能な円筒４２が結合されていない側の蛇腹を中央部に有する管４０の先端から容器６２の口部に投入して容器口部に係止可能な顎付きの円筒４２を容器６２の口部に挿入して係止させる。次に液体８０を容器６２の口部から注入する。この際容器口部側の蛇腹状に形成した蛇腹を中央部に有する管４０の蛇腹状に形成した部分４１で容器口部内に折り畳んでおけば管４０の先端が液体の中から浮力によって浮かび上がろうとする円柱型袋体１０を押さえて液体中に係止することが可能である。液体８０を注入した後に抗菌・破裂防止蓋５０を装着する。容器６２の内部では管状の連通路１２により円柱型袋体１０の内部に導水が図られ固形材料１３に液体８０が浸透し、固形材料１３と液体８０の間の抽出・溶出又は吸着等の作用の促進を可能としている。
【０１１３】
またこの状態で容器６２は携行可能であり、ペットボトル等の容器のように、頻繁に持ち歩く状況においても十分に使用に耐え得る。落下の衝撃や乗り物の揺れ歩行時の振動等にも円柱型袋体１０は支柱部分３１に挟まれて支持され側面ガード４４がさらに確保して容器６２と衝突することは無く、かえって固形材料１３と液体８０の間の抽出・溶出又は吸着等の作用の促進を図ることにもなる。容器６２からの円柱型袋体１０を装着した図３（ｂ）の袋体支持具３０の取り出しにおいては、抗菌・破裂防止蓋５０を外し、容器口部に係止可能な顎部を片側先端に有する４２の顎部４３を指で挟むか又は蛇腹状に形成した部分４１を指で摘んで柱状袋体を装着した図３（ｂ）の袋体支持具３０を引き出せば、柱状袋体が容器口部よりも太く膨張していても、柱状袋体と容器の間に摩擦が生じないため、損傷することなく取出しができる。
【０１１４】
その際円柱型袋体１０に収容された固形材料１３に液体が浸透している場合には、容器６２口部の内部肩部分で細長い管状の支柱部分３１が束ねられるように圧迫され固形材料１３に浸透している液体を絞りながら取り出すことが可能である。取り出した円柱型袋体１０を装着した袋体支持具３０は細長い管状の支柱部分３１を押し広げれば円柱型袋体１０が自重で自然に落下して取り外しが終了する。円柱型袋体１０を取り外した図３（ｂ）の袋体支持具３０は再び容器口部に係止可能な顎部を片側先端に有する４２が結合されていない側の蛇腹状に形成した蛇腹を中央部に有する管４０の先端から容器６２の口部に挿入すれば、折り畳まれて収容可能なストローとなる。
【０１１５】
図１１（ａ）（ｂ）は、柱状袋体と袋体支持具を一体的に形成した袋体であって、柱状袋体１０を串型袋体支持具２０の軸を通して袋体装着部に固着したことを特徴とする串型支持具付き袋体７０である。
【０１１６】
図１１（ａ）（ｂ）は本発明の柱状袋体１０と串型袋体支持具２０が組み合わされて一体的に構成された串型支持具付き袋体７０の構成であり、袋体を袋体支持具に着脱する手間を省き、雑菌が手などを介して付着する機会を減らして、手早く容器口部からの出し入れができる。このように串型支持具付き袋体７０は、容器内部への雑菌の侵入を抑制するとともに、何時何処でもすぐに使用できて携行に便利である。
【０１１７】
同図（ａ）は図１（ａ）の円柱型袋体と図２（ａ）の串型袋体支持具との組み合わせによる串型支持具付き袋体７０の構成である。例えば、この串型支持具付き袋体７０に活性炭等の吸着材を収容して水道水に浸せば浄水効果によりカルキ臭の少ない水を得られる。またペットボトル等に収容できるので携行してストローで飲むことが可能である。
【０１１８】
同図（ｂ）は図１（ｂ）の紡錘型袋体と図２（ａ）の串型袋体支持具と蛇腹を中央部に有する管４０の組み合わせによる串型支持具付き袋体７０の構成である。例えば、この串型支持具付き袋体７０に麦飯石等溶出材を収容して水道水に浸せば溶出効果によりミネラルが豊富な水を得られる。またペットボトル等に収容できるので携行してストローで飲むことが可能である。
【０１１９】
図１１（ｃ）（ｄ）（ｅ）（ｆ）は、柱状袋体と袋体支持具を一体的に形成した袋体であって、柱状袋体を籠型袋体支持具の支柱で挟み袋体装着部に固着したことを特徴とする籠型支持具付き袋体である。
【０１２０】
図１１は本発明の柱状袋体と籠型袋体支持具が組み合わされて一体的に構成された支持具付き袋体７０の構成であり、袋体を袋体支持具に着脱する手間を省き、雑菌が手などを介して付着する機会を減らして、手早く容器口部からの出し入れができる。このように籠型支持具付き袋体は、容器内部への雑菌の侵入を抑制するとともに、何時何処でもすぐに使用できて携行に便利である。
【０１２１】
同図（ｃ）は図１（ａ）の柱状袋体と図３（ｃ）の籠型袋体支持具の組み合わせによる籠型支持具付き袋体７０の構成である。例えば、この籠型支持具付き袋体７０に薬草や漢方薬等を収容して水に浸せば抽出効果により薬草茶や漢方の飲み薬を得られる。またペットボトル等に収容できるので冷蔵庫で冷やしたり、携行したりすることが可能である。
【０１２２】
同図（ｄ）は図１（ａ）の柱状袋体と図３（ｂ）の籠型袋体支持具の組み合わせによる籠型支持具付き袋体７０の構成である。例えば、この籠型支持具付き袋体７０に葉茶等を収容して水に浸せば抽出効果により緑茶・紅茶・麦茶・烏龍茶・コーヒー等の各種の嗜好飲料を得られる。またペットボトル等に収容できるので冷蔵庫で冷やしたり、携行したりすることが可能である。
【０１２３】
同図（ｅ）は図１（ａ）の柱状袋体と図３（ｆ）の籠型袋体支持具と蛇腹を有する細長い円筒４０の組み合わせによる籠型支持具付き袋体７０の構成である。例えば、この籠型支持具付き袋体７０に粉ミルクを収容して白湯に浸せば液体ミルクが得られる。また哺乳びんやペットボトル等に収容できるので乳児を持つ母親が携行して、幼児にストローで飲ませることが可能である。
【０１２４】
同図（ｆ）は図１（ａ）の柱状袋体と図３（ｃ）の籠型袋体支持具と蛇腹を中央部に有する管４０の組み合わせによる籠型支持具付き袋体７０の構成である。例えば、この籠型支持具付き袋体７０にほうじ茶の葉茶を収容して白湯に浸せば、飲用のほうじ茶を得られる。またペットボトル等に収容できるので幼児を持つ母親が携行して別々のストローで飲むことが可能である。その場合はは３本の蛇腹を中央部に有する管４０は別々の色分けがされていることが望ましい。
【図面の簡単な説明】
【０１２５】
【図１】本発明の柱状袋体の斜視図であり、同図（ａ）は管状の連通路を内部に備えた円柱型袋体、同図（ｂ）は管状の連通路を内部に備えた紡錘型袋体、同図（ｃ）は線状の連通路を内部に備えた円柱型袋体、同図（ｄ）は線状の連通路を内部に備えた紡錘型袋体、同図（ｅ）は矩形平形の袋体、同図（ｆ）は連通路を形成する細長い管、同図（ｇ）は連通路を形成する穴の開いた細長い管、同図（ｈ）は縫い代等の接合部分を内側に折り込んだ円筒形の素材、同図（ｉ）は縫い代等の接合部分を内側に折り込んだ紡錘形の素材、同図（ｊ）は全体が円柱状で管状の連通路を内部に備えた袋体の分解図、同図（ｋ）は全体が紡錘状で管状の連通路を内部に備えた袋体の分解図である。
【図２】本発明の串型袋体支持具の斜視図であり，同図（ａ）は固定の袋体係止部を備えた場合、同図（ｂ）は膨らみを可変の袋体係止部として備えた場合、同図（ｃ）は一端に膨らみ部分、もう一端に弾性体を備えた場合、同図（ｄ）は細長い円筒に切り込みを入れた状態であり、同図（ｅ）は細長い円筒に入れた切り込みを膨らませた状態である。
【図３】本発明の袋体支持具の斜視図であり，同図（ａ）は細長い棒の屈曲成型及び末端の接合による場合，同図（ｂ）は輪からの屈曲成型による場合、同図（ｃ）は輪状結束具の場合，同図（ｄ）は円筒結束具の場合、同図（ｅ）は細長い棒の支柱部分末端の結合による場合、同図（ｆ）は一端が円筒結束具で、もう一端が屈曲成型及び末端の接合による場合である。
【図４】本発明の袋体支持具に取り付ける蛇腹を有する細長いの斜視図である。
【図５】本発明の袋体支持具に取り付ける顎部を片側先端に有する円筒の斜視図あり、同図（ａ）は串型袋体支持具軸に結合させる場合、同図（ｂ）は籠型袋体支持具の支柱に結合させる場合である。
【図６】本発明の袋体支持具に取り付ける袋体ガードの斜視図であり、同図（ａ）は籠型袋体支持具用の側面ガードの場合、同図（ｂ）は籠型袋体支持具用の端面ガードの場合、同図（ｃ）は籠型袋体支持具用の端面ガードで可動式の場合、同図（ｄ）は籠型袋体支持具用のドーナツ形の端面ガードで可動式の場合、同図（ｅ）は串型袋体支持具用の端面ガードの場合である。
【図７】本発明の抗菌・非破裂容器の蓋の斜視図及び断面図と容器本体の斜視図であり、同図（ａ）は抗菌素材からなり窪み部分を外部に備えた場合の蓋の斜視図、同図（ｂ）は同図（ａ）におけるＡ−Ａ拡大断面図、同図（ｃ）は抗菌シールドをして窪みを内部に備えた場合の蓋の斜視図、同図（ｄ）は同図（ｃ）におけるＡ−Ａ拡大断面図、同図（ｅ）は抗菌素材からなり窪み部分を内部に備えた場合の容器本体の斜視図、同図（ｆ）は抗菌シールドをして窪みを外部に備えた場合の容器本体の斜視図である。
【図８】液体の入った口部の小さな容器内での円柱型袋体と串型袋体支持具の使用状態図である。
【図９】液体の入った口部の小さな容器内での紡錘型袋体と串型袋体支持具の使用状態図である。
【図１０】液体の入った口部の小さな容器内での袋体を装着した袋体支持具の使用状態図である。同図（ａ）は紡錘型袋体と串型袋体支持具の使用状態図である。同図（ｂ）は円柱型袋体と籠型袋体支持具の使用状態図である。
【図１１】本発明の支持具付き袋体の斜視図であり、同図（ａ）は柱状袋体と固定の係止具との組み合わせによる一体成型の場合、同図（ｂ）は紡錘状袋体と固定の係止具と一部を蛇腹状に形成した細長い管の組み合わせによる一体成型の場合、同図（ｃ）は柱状袋体と輪状結束具を備えた籠状袋体支持具との組み合わせによる一体成型の場合、同図（ｄ）は柱状袋体と折り曲げによる結束部を備えた籠状袋体支持具との組み合わせによる一体成型の場合、同図（ｅ）は柱状袋体と細長い棒の支柱部分末端の接合による籠状袋体支持具と一部を蛇腹状に形成した細長い管との組み合わせによる一体成型の場合、同図（ｆ）は柱状袋体と輪状結束具を備えた籠状袋体支持具と一部を蛇腹状に形成した細長い管との組み合わせによる一体成型の場合である。
【図１２】従来の袋体１の斜視図である。
【図１３】従来の袋体２の斜視図である。
【図１４】従来の袋体３の斜視図である。
【図１５】従来の袋体４の斜視図である。
【図１６】従来の袋体５の斜視図である。
【図１７】従来の袋体６の斜視図である。
【図１８】従来の袋体７の斜視図である。
【図１９】従来の袋体８の斜視図である。
【図１８】従来の袋体９の斜視図である。
【図１９】従来の袋体１０の斜視図である。
【図２０】従来の袋体１１の斜視図である。
【図２１】従来の袋体支持具の斜視図である。
【符号の説明】
【０１２６】
１０  円柱型袋体
１１  開口部
１２  連通路
１３  固形材料
１４  矩形平形袋体
１５  連通路を形成する細長い管
１６  連通路を形成する穴の開いた細長い管
１７  縫い代等の接合部分を内側に折り込んだ円筒形の素材
１８  縫い代等の接合部分を内側に折り込んだ紡錘形の素材
１９  紡錘型袋体
２０  串型袋体支持具
２１  細長い軸または、細長い中空の軸
２２  係止具または軸の一端の成型による固定の袋体係止部
２３  細長い円筒
２４  細長い円筒の一部分の膨らみによる可変の袋体係止部
２５  弾性体
２６  袋体装着部
２７  切り込み部分
３０  籠型袋体支持具
３１  棒状の支柱または管状の支柱
３２  折り曲げと接合による結束部
３３  輪状結束具
３４  円筒結束具
３５  接合部 
３６  折り曲げによる結束部
４０  蛇腹を中央部に有する管
４１  蛇腹状に形成した部分
４２  顎部を片側先端に有する円筒
４３  顎部
４４  側面ガード
４５  端面ガード
４６  串型用連接部
４７  籠型用連接部
４８  容器口部を通過可能な円筒
５０  蓋
５１  容器の蓋の内側底部にはめ込まれた中蓋部分
５２  抗菌・非破裂蓋
５３  抗菌シールド
５４  蓋外側の窪み
５５  蓋内側の窪み
６０  容器
６１  容器底部の厚みのある部分
６２  抗菌・非破裂容器
６３  抗菌シールド
６４  容器内側の窪み
６５  容器外側の窪み
７０  支持具付き袋体
８０  容器内の液体
１００縦細長形状袋体
１０１接着縁部
１０２吸着材
１１０飲料用素材
１２０フロート
１２１可溶性成分を含有する粉粒体あるいは浄水材
１３０棒状に形成された透水性袋
１３１長手形状部材
１４０棒状包材
１５０最上部の輪状の空洞
１５１緑茶
１６０水溶性のりで２つに分けられた部分
１６１紐
１６２茶葉
１７０ミシン目
１７１支軸
１７２茶葉
１８０星型の棒状ティーバッグ
１８１ペットボトルの栓を付ける凸部
１９０顎部
１９１細長い透口
１９２筒状収容部
【図１】
2005287727.tif 000003
【図２】
2005287727.tif 000004
【図３】
2005287727.tif 000005
【図４】
2005287727.tif 000006
【図５】
2005287727.tif 000007
【図６】
2005287727.tif 000008
【図７】
2005287727.tif 000009
【図８】
2005287727.tif 000010
【図９】
2005287727.tif 000011
【図１０】
2005287727.tif 000012
【図１１】
2005287727.tif 000013
【図１２】
2005287727.tif 000014
【図１３】
2005287727.tif 000015
【図１４】
2005287727.tif 000016
【図１５】
2005287727.tif 000017
【図１６】
2005287727.tif 000018
【図１７】
2005287727.tif 000019
【図１８】
2005287727.tif 000020
【図１９】
2005287727.tif 000021
【図２０】
2005287727.tif 000022
【図２１】
2005287727.tif 000023
【手続補正書】
【提出日】平成16年5月14日(2004.5.14)
【手続補正１】
【補正対象書類名】明細書
【補正対象項目名】０１２５
【補正方法】変更
【補正の内容】
【０１２５】
【図１】  本発明の柱状袋体の斜視図であり、
同図（ａ）は管状の連通路を内部に備えた円柱型袋体、同図（ｂ）は管状の連通路を内部に備えた紡錘型袋体、同図（ｃ）は線状の連通路を内部に備えた円柱型袋体、同図（ｄ）は線状の連通路を内部に備えた紡錘型袋体、同図（ｅ）は矩形平形の袋体、同図（ｆ）は連通路を形成する細長い管、同図（ｇ）は連通路を形成する穴の開いた細長い管、同図（ｈ）は縫い代等の接合部分を内側に折り込んだ円筒形の素材、同図（ｉ）は縫い代等の接合部分を内側に折り込んだ紡錘形の素材、同図（ｊ）は全体が円柱状で管状の連通路を内部に備えた袋体の分解図、同図（ｋ）は全体が紡錘状で管状の連通路を内部に備えた袋体の分解図である。
【図２】  本発明の串型袋体支持具の斜視図であり，同図（ａ）は固定の袋体係止部を備えた場合、同図（ｂ）は膨らみを可変の袋体係止部として備えた場合、同図（ｃ）は一端に膨らみ部分、もう一端に弾性体を備えた場合、同図（ｄ）は細長い円筒に切り込みを入れた状態であり、同図（ｅ）は細長い円筒に入れた切り込みを膨らませた状態である。
【図３】  本発明の袋体支持具の斜視図であり，同図（ａ）は細長い棒の屈曲成型及び末端の接合による場合，同図（ｂ）は輪からの屈曲成型による場合、同図（ｃ）は輪状結束具の場合，同図（ｄ）は円筒結束具の場合、同図（ｅ）は細長い棒の支柱部分末端の結合による場合、同図（ｆ）は一端が円筒結束具で、もう一端が屈曲成型及び末端の接合による場合である。
【図４】  本発明の袋体支持具に取り付ける蛇腹を有する細長いの斜視図である。
【図５】  本発明の袋体支持具に取り付ける顎部を片側先端に有する円筒の斜視図あり、同図（ａ）は串型袋体支持具軸に結合させる場合、同図（ｂ）は籠型袋体支持具の支柱に結合させる場合である。
【図６】  本発明の袋体支持具に取り付ける袋体ガードの斜視図であり、同図（ａ）は籠型袋体支持具用の側面ガードの場合、同図（ｂ）は籠型袋体支持具用の端面ガードの場合、同図（ｃ）は籠型袋体支持具用の端面ガードで可動式の場合、同図（ｄ）は籠型袋体支持具用のドーナツ形の端面ガードで可動式の場合、同図（ｅ）は串型袋体支持具用の端面ガードの場合である。
【図７】  本発明の抗菌・非破裂容器の蓋の斜視図及び断面図と容器本体の斜視図であり、同図（ａ）は抗菌素材からなり窪み部分を外部に備えた場合の蓋の斜視図、同図（ｂ）は同図（ａ）におけるＡ−Ａ拡大断面図、同図（ｃ）は抗菌シールドをして窪みを内部に備えた場合の蓋の斜視図、同図（ｄ）は同図（ｃ）におけるＡ−Ａ拡大断面図、同図（ｅ）は抗菌素材からなり窪み部分を内部に備えた場合の容器本体の斜視図、同図（ｆ）は抗菌シールドをして窪みを外部に備えた場合の容器本体の斜視図である。
【図８】  液体の入った口部の小さな容器内での円柱型袋体と串型袋体支持具の使用状態図である。
【図９】  液体の入った口部の小さな容器内での紡錘型袋体と串型袋体支持具の使用状態図である。
【図１０】  液体の入った口部の小さな容器内での袋体を装着した袋体支持具の使用状態図である。同図（ａ）は紡錘型袋体と串型袋体支持具の使用状態図である。同図（ｂ）は円柱型袋体と籠型袋体支持具の使用状態図である。
【図１１】  本発明の支持具付き袋体の斜視図であり、同図（ａ）は柱状袋体と固定の係止具との組み合わせによる一体成型の場合、同図（ｂ）は紡錘状袋体と固定の係止具と一部を蛇腹状に形成した細長い管の組み合わせによる一体成型の場合、同図（ｃ）は柱状袋体と輪状結束具を備えた籠状袋体支持具との組み合わせによる一体成型の場合、同図（ｄ）は柱状袋体と折り曲げによる結束部を備えた籠状袋体支持具との組み合わせによる一体成型の場合、同図（ｅ）は柱状袋体と細長い棒の支柱部分末端の接合による籠状袋体支持具と一部を蛇腹状に形成した細長い管との組み合わせによる一体成型の場合、同図（ｆ）は柱状袋体と輪状結束具を備えた籠状袋体支持具と一部を蛇腹状に形成した細長い管との組み合わせによる一体成型の場合である。
【図１２】  従来の袋体１の斜視図である。
【図１３】  従来の袋体２の斜視図である。
【図１４】  従来の袋体３の斜視図である。
【図１５】  従来の袋体４の斜視図である。
【図１６】  従来の袋体５の斜視図である。
【図１７】  従来の袋体６の斜視図である。
【図１８】  従来の袋体７の斜視図である。
【図１９】  従来の袋体８の斜視図である。
【図２０】  従来の袋体９の斜視図である。
【図２１】  従来の袋体支持具の斜視図である。